(57)【要約】【課題】安定したカーブ滑走ができるローラースキーを提供する。【解決手段】ローラースキー１０は、ローラー２２，２４と第１の軸受７０とを備える前方部材１２と、ローラー２６，２８と第２の軸受７２とを備える後方部材１４と、第１の軸受７０および第２の軸受７２に装着されて前方部材１２と後方部材１４を接続すると共に、足乗せ部として機能する板状部材５０が設けられた軸部材１６を有する。前方部材１２および後方部材１４は、筐体１８，２０と、ローラー軸４０，４２と、ローラー２２，２４，２６，２８およびローラー軸４０，４２を筐体１８，２０に固定する接続部材４４，４６を備える。カーブ滑走時には、軸部材１６の下方へのたわみの回転方向に伴って、前方部材１２および後方部材１４が接地したまま向きを変える。【選択図】図３
2010110595.tif 000002
【特許請求の範囲】
【請求項１】
ローラーをそれぞれ備える前方部材および後方部材と、
前記前方部材および前記後方部材に装着されて前記前方部材と前記後方部材を接続する軸部材と、
を有し、
前記軸部材に足乗せ部が設けられ、
前記前方部材および前記後方部材は、前記軸部材が自在に回転できる回転部材をそれぞれ備えるローラースキー。
【請求項２】
ローラーと第１の軸受とを備える前方部材と、
ローラーと第２の軸受とを備える後方部材と、
前記第１の軸受および前記第２の軸受に装着されて前記前方部材と前記後方部材を接続する軸部材と、
前記軸部材に設けられた足乗せ部と、
を有するローラースキー。
【請求項３】
前記軸部材の近傍に補助ローラーが設けられ、この補助ローラーの下端は、前記前方部材および前記後方部材に設けられたローラーの下端より上方に位置する請求項１または２に記載のローラースキー。
【請求項４】
前記軸部材は弾性材料から構成される請求項１から３のいずれか１項に記載のローラースキー。
【請求項５】
前方部材と後方部材とを有するローラースキーであって、
前記前方部材および前記後方部材がローラーをそれぞれ備え、
軸部材を介して前記前方部材と前記後方部材とが接続されたときにこの軸部材が自在に回転できる回転部材を、前記前方部材および前記後方部材がそれぞれ備えるローラースキー。
【請求項６】
前記軸部材は、中心部が板状部材から構成され、両端部が円筒状部材または円柱状部材から構成される請求項１から５のいずれか１項に記載のローラースキー。
【発明の詳細な説明】
【技術分野】
【０００１】  本発明は、雪のない斜面等で滑走する際に、安定したカーブ滑走ができるローラー付きのスキー（以下「ローラースキー」という）に関するものである。
【背景技術】
【０００２】  板状部材の下面の左右にそれぞれ複数のローラーを付けたローラースキーがある。このような従来のローラースキーを図１２から図１６に示す。ここで、図１２はローラースキーの側面図、図１３はローラースキーの底面図、図１４はローラースキーの前面図である。図１２から図１４に示すように、ローラースキー１００は、ボディー１０２と、ローラー１０４，１０６，１０８，１１０と、足乗せ部１１２を備える。【０００３】  このローラースキー１００に乗って左曲がりのカーブ滑走をすると、図１５と図１６に示すように、ローラー１０４，１０８は地面Ｇに接する（接地する）ものの、ローラー１０６，１１０は宙に浮く。ここで、図１５はカーブ滑走時のローラースキーの前面図、図１６はカーブ滑走時のローラースキーの背面図である。このように、ローラーの接地面積が少ないため、ローラースキー１００でのカーブ滑走は不安定なものとなってしまう。
【発明の開示】
【発明が解決しようとする課題】
【０００４】  本発明は、このような問題点に鑑みて成されたものであり、安定したカーブ滑走ができるローラースキーを提供することを目的とする。
【課題を解決するための手段】
【０００５】  本発明のローラースキーのある態様は、ローラーをそれぞれ備える前方部材および後方部材と、前方部材および後方部材に装着されて前方部材と後方部材を接続する軸部材と、を有し、軸部材に足乗せ部が設けられ、前方部材および後方部材は、軸部材が自在に回転できる回転部材をそれぞれ備える。【０００６】  本発明のローラースキーの他の態様は、ローラーと第１の軸受とを備える前方部材と、ローラーと第２の軸受とを備える後方部材と、第１の軸受および第２の軸受に装着されて前方部材と後方部材を接続する軸部材と、軸部材に設けられた足乗せ部と、を有する。【０００７】  上記のローラースキーは、軸部材の近傍に補助ローラーが設けられ、この補助ローラーの下端は、前方部材および後方部材に設けられたローラーの下端より上方に位置していても良い。また、軸部材は弾性材料から構成されていても良い。【０００８】  本発明のローラースキーの他の態様は、前方部材と後方部材とを有するローラースキーであって、前方部材および後方部材がローラーをそれぞれ備え、軸部材を介して前方部材と後方部材とが接続されたときにこの軸部材が自在に回転できる回転部材を、前方部材および後方部材がそれぞれ備える。【０００９】  軸部材は、中心部が板状部材から構成され、両端部が円筒状部材または円柱状部材から構成されていても良い。
【発明の効果】
【００１０】  本発明のローラースキーによれば、安定したカーブ滑走ができる。
【発明を実施するための最良の形態】
【００１１】  以下、本発明の各実施の形態に係るローラースキーについて、図面を参照しながら説明する。なお、図面は各実施の形態に係るローラースキーを模式的に表したものであり、ローラースキーの各部材の実際の寸法および寸法比は、図面上の寸法および寸法比と必ずしも一致していない。また、各実施の形態において、同じ機能を有する物には適宜同一符号を付すと共に、重複説明は適宜省略する。【００１２】  図１から図３は、本発明の第１の実施の形態に係るローラースキー１０を示す。ここで、図１はローラースキー１０の側面図、図２はローラースキーの前面図、図３はローラースキーの底面図である。ローラースキー１０は、図１から図３に示すように、前方部材１２と、後方部材１４と、軸部材１６とを備える。【００１３】  前方部材１２および後方部材１４は、後述する回転部材を収納した筐体１８，２０と、ローラー２２，２４，２６，２８と、ローラー軸４０，４２と、ローラー２２，２４，２６，２８およびローラー軸４０，４２と筐体１８，２０とを接続する接続部材４４，４６を備える。本実施の形態では、前方部材１２および後方部材１４にローラーがそれぞれ２つ設けられているが、ローラーがそれぞれ１つ設けられていても良いし、それぞれ３つ以上設けられていても良い。【００１４】  軸部材１６は、前方部材１２および後方部材１４に装着されて前方部材１２と後方部材１４を接続する。また、軸部材１６には足乗せ部４８が設けられている。軸部材１６は、強度、耐食性、加工性、変形性およびコスト等を考慮して、略円筒形状のアルミニウム合金が用いられている。軸部材１６は弾性材料から構成されていても良い。軸部材１６に使用できる弾性材料としては、例えば、ニッケル−チタン合金等の弾性金属、鉄、木材、炭素繊維、弾性樹脂などが挙げられる。【００１５】  板状部材５０は、軸部材１６を囲むように設置された固定部材５２，５４によって、軸部材１６に固定されている。この板状部材５０の上面が足乗せ部４８として機能する。板状部材５０には、バインダー５６，５８が設けられており、バインダー５６，５８によってブーツや靴等を板状部材５０に固定できるようになっている。すなわち、ローラースキー１０に乗ろうとする者は、履いているブーツや靴等を、２つ（１組）のローラースキー１０の板状部材５０に、それぞれ片足ずつ固定することによってローラースキー１０に乗ることとなる。【００１６】  なお、板状部材５０と固定部材５２，５４を軸部材１６の長手方向に沿って可動にし、軸部材１６の前方寄り、中央、後方寄りのように異なった位置で板状部材５０を軸部材１６に固定できるようにしても良い。こうすれば、ローラースキー１０に乗る者は、足の位置の違いにより、様々な種類の滑走を楽しむことができる。【００１７】  前方部材１２および後方部材１４には軸部材１６が装着されている。また、前方部材１２および後方部材１４は、軸部材１６がその長手方向を回転軸として自在に回転できる回転部材である軸受７０，７２をそれぞれ備える。軸受７０，７２は筒状の金属製部材で、それぞれ筐体１８，２０の内部に固定されている。軸部材１６は、前方部材１２に設けられた第１の軸受７０と後方部材１４に設けられ���第２の軸受７２の内側に装着されて、前方部材１２と後方部材１４を接続している。つまり、前方部材１２および後方部材１４は、軸部材１６を介して接続されていることになる。本発明のローラースキーに使用できる軸受としては、例えば、セラミック製、樹脂製、もしくは金属製のボールレスベアリング、玉軸受、またはコロ軸受等が挙げられる。【００１８】  図４と図５は、左曲がりのカーブ滑走時のローラースキー１０を示す。なお、図４と図５では、バインダー５６，５８の記載を省略している。ここで、図４はローラースキー１０の上面図、図５はローラースキーの正面図である。ローラースキー１０の静止時または直線方向への滑走時では、ローラースキー１０に乗る者の体重で軸部材１６は下方向にたわむが、左曲がりのカーブ滑走をする場合、ローラースキー１０に乗る者が回転内側（左側）に体軸を倒すため、軸部材１６は回転外側（右側）へたわむ。このとき、図４と図５に示すように、ローラー２２，２４，２６，２８が接地した状態を維持しながら、前方部材１２および後方部材１４は、軸部材１６のたわみ方向に沿って向きを変える。このように、従来のローラースキーと比べてカーブ滑走時の接地面積が大きくなるため、本実施の形態に係るローラースキー１０では安定したカーブ滑走ができる。右曲がりのカーブ滑走をする場合も同様である。【００１９】  図６と図７は、本発明の第２の実施の形態に係るローラースキー８０を示す。ここで、図６はローラースキー８０の側面図、図７はローラースキーの底面図である、ローラースキー８０の軸部材１６には補助ローラー８２，８４が設けられている。補助ローラー８２，８４の下端は、前方部材１２および後方部材１４に設けられたローラー２２，２４の下端より上方に位置する。つまり、ローラースキー８０に乗っていない状態では、ローラースキー８０を地面に置いたとき、前方部材１２および後方部材１４に設けられたローラー２２，２４，２６，２８は接地するが、補助ローラー８２，８４は浮いている。一方、ローラースキー８０に乗った状態では、足乗せ部４８への加重により軸部材１６が下方にたわんで接地する。本実施の形態では補助ローラーが２つ設けられているが、３つ以上設けられていても良い。【００２０】  図８と図９は、左曲がりのカーブ滑走時のローラースキー８０を示す。なお、図８と図９では、バインダーの記載を省略している。ここで、図８はローラースキー８０の上面図、図９は図８に示すローラースキー８０のＡ−Ａ線断面図である。ローラースキー８０に乗って左曲がりのカーブ滑走をした場合、図８と図９に示すように、カーブする方向に軸部材１６が回転すると共に、補助ローラー８２，８４が接地するように軸部材１６が左曲がりにたわんで、前方および後方のそれぞれの左右のローラー２２，２４，２６，２８と補助ローラー８２，８４が接地した状態を維持する。このように、第１の実施の形態に係るローラースキー１０と比べて、カーブ滑走時の軸部材１６のたわみ量を一定量以下にすることができ、また、弾性が高い軸部材１６を用いた場合でも軸部材１６が直接接地して損傷すること防ぐことができる。このため、本実施の形態に係るローラースキー８０では、さらに安定した���ーブ滑走ができる。【００２１】  以上、図面を参照しながら、各実施の形態に係るローラースキー１０，８０について説明した。しかし、本発明のローラースキーは前述した各実施の形態に限定されない。本発明のローラースキーは、これら各実施の形態以外にも様々な形態がある。【００２２】  例えば、本発明は、ローラーをそれぞれ備える前方部材と後方部材とを有し、軸部材を介して前方部材と後方部材とが接続されたときにこの軸部材が自在に回転できる回転部材を、前方部材および後方部材がそれぞれ備えるローラースキーであっても良い。すなわち、このローラースキーは、前方部材および後方部材からなり、市販されているミニスキー等の板状部材の前後を、前方部材と後方部材に設けられた軸受等の回転部材にそれぞれ装着した状態で滑走できるように構成されている。また、このローラースキーでは、足乗せ部が設けられた棒状の軸部材の前後を、前方部材と後方部材にそれぞれ装着しても良い。【００２３】  このローラースキーでカーブ滑走をした場合、前述した各実施の形態に係るローラースキー１０，８０と同様に、カーブする方向に板状部材や棒状の軸部材が回転すると共に、板状部材や棒状の軸部材がたわんで、前方および後方のそれぞれの左右のローラーが接地した状態を維持する。このため、安定したカーブ滑走ができる。【００２４】  なお、板状部材を前方部材および後方部材に装着してこのローラースキーで滑走する場合、板状部材と軸受等の回転部材とを接続するためのジョイントを使用しても良い。このジョイントは、板状部材の端部に接続すると、円筒形状または円柱形状の端部が現れるものであり、板状部材に接続したこのジョイントの円筒形状または円柱形状の端部を、このローラースキーの軸受等の回転部材にさらに接続して使用する。【００２５】  また、図１０と図１１に示すように、前述した各実施の形態や他の形態に係るローラースキーの軸部材１６は、中心部を板状部材１６ａで、両端部を円筒状部材または円柱状部材１６ｂで構成しても良い。ここで、図１０はこの軸部材１６の上面図、図１１はこの軸部材１６の側面図である。この軸部材１６は一体物であっても良いし、中心部の板状部材１６ａと両端部の円筒状部材または円柱状部材１６ｂが別体であって、ローラースキーの使用時には一体化できるものであっても良い。このように、軸部材の中心部を板形状に、両端部を円筒形状または円柱形状とすることにより、板状部材を足乗せ部として機能させることができ、部品の数を減らすことができる。【００２６】  また、足乗せ部を大きくして両足を乗せられるようにし、１つのローラースキーに乗って滑走しても良い。この場合、前方部材に手持ち部を設けて、ローラースキーに乗る者の手によって、滑走の曲がり方向を制御しても良い。さらに、手持ち部または後方部材に、ローラーを停止させるブレーキを設けても良い。
【図面の簡単な説明】
【００２７】
【図１】本発明の第１の実施の形態に係るローラースキーの側面図である。
【図２】本発明の第１の実施の形態に係るローラースキーの正面図である。
【図３】本発明の第１の実施の形態に係るローラースキーの底面図である。
【図４】カーブ滑走時における本発明の第１の実施の形態に係るローラースキーの上面図である。
【図５】カーブ滑走時における本発明の第１の実施の形態に係るローラースキーの正面図である。
【図６】本発明の第２の実施の形態に係るローラースキーの側面図である。
【図７】本発明の第２の実施の形態に係るローラースキーの底面図である。
【図８】カーブ滑走時における本発明の第２の実施の形態に係るローラースキーの上面図である。
【図９】カーブ滑走時における本発明の第２の実施の形態に係るローラースキーの断面図である。
【図１０】本発明のローラースキーに用いることができる軸部材の上面図である。
【図１１】本発明のローラースキーに用いることができる軸部材の側面図である。
【図１２】従来のローラースキーの側面図である。
【図１３】従来のローラースキーの底面図である。
【図１４】従来のローラースキーの前面図である。
【図１５】カーブ滑走時における従来のローラースキーの前面図である。
【図１６】カーブ滑走時における従来のローラースキーの背面図である。
【符号の説明】
【００２８】  １０，８０，１００・・・ローラースキー、  １２・・・前方部材、  １４・・・後方部材、  １６・・・軸部材、  ２２，２４，２６，２８・・・ローラー、  ４８・・・足乗せ部、  ７０・・・第１の軸受、  ７２・・・第２の軸受、  ８２，８４・・・補助ローラー
【図１】
2010110595.tif 000003
【図２】
2010110595.tif 000004
【図３】
2010110595.tif 000005
【図４】
2010110595.tif 000006
【図５】
2010110595.tif 000007
【図６】
2010110595.tif 000008
【図７】
2010110595.tif 000009
【図８】
2010110595.tif 000010
【図９】
2010110595.tif 000011
【図１０】
2010110595.tif 000012
【図１１】
2010110595.tif 000013
【図１２】
2010110595.tif 000014
【図１３】
2010110595.tif 000015
【図１４】
2010110595.tif 000016
【図１５】
2010110595.tif 000017
【図１６】
2010110595.tif 000018